(57)【要約】【課題】入浴用椅子として、入浴者の体格に応じて高さを任意に変更し得るとともに、収納時に椅子体積の縮小をなし、また、衛生面を考慮して椅子の分解掃除を可能にした入浴用椅子を提供することを目的とする。【解決手段】浴槽内で使用される入浴用椅子であって、外径の異なる複数の円筒短管を相互に伸縮可に嵌装し、前記それぞれの円筒短管は下端縁および／または上端縁に環状溝と、該環状溝を嵌合する突部を形成するとともに、最上端に位置する円筒短管上面には座面を形成せしめ、前記環状溝と突部との嵌合着脱により、高さ調節を可能としたことを特徴とする。【選択図】図１
2004057691.tif 000002
【特許請求の範囲】
【請求項１】
浴槽内で使用される入浴用椅子であって、内外係の異なる複数の円筒短管を相互に伸縮可に嵌装し、前記それぞれの円筒短管は下端縁および／または上端縁に環状溝と、該環状溝を嵌合する突部を形成するとともに、最上端に位置する円筒短管上面には座面を形成せしめ、前記環状溝と突部との嵌合着脱により、高さ調節を可能としたことを特徴とする入浴用椅子。
【請求項２】
浴槽内で使用される入浴用椅子であって、内外係の異なる複数の円筒短管を相互に嵌装してなり、前記円筒短管には雄ネジおよび／または雌ネジが刻設され、円筒短管相互が螺合され、前記円筒短管の最上端に位置する円筒短管上面には座面を形成せしたことを特徴とする入浴用椅子。
【発明の詳細な説明】
【０００１】
本発明の入浴用椅子は、健康にいい半身浴用に使用し好適な入浴用椅子に関する。
【０００２】
【従来の技術】
浴室の洗い場で使用される椅子類は、木製や樹脂製で多種多様のものが実用されている。一日の疲れを癒し、心身をリフレッシュさせる目的でゆっくりと胸下まで湯に漬かり、ＣＤを聞いたり、顔のマッサージを行う等の半身浴が奨励されており、低温で、長時間入浴するためには入浴中に心臓に負担をかけないように、入浴する者の体格に合った椅子を浴槽内に沈潜させて腰掛けることが必要となる。
【０００３】
入浴する者の体格に合わせて座面の高さを調整しうる入浴用椅子の一例として特公平０７−２８９４６４号公報（以下、従来技術１という）が提案されている。この従来技術１に開示される入浴用椅子は、座面の高さを変更できる構造の浴室用椅子であって、樹脂製の脚部及び座部を備え、この座部と脚部の凹凸部を嵌め合わせて使用する構造とするとともに、その嵌め合わせ部分の凸部の端面が、凹部の規制面に当たることにより椅子の高さを規定し、かつ、その規制面に当たる面の高さが、座部の脚部に対する回転方向の位置の変更によりその高さを調節する構造としている。
【０００４】
さらに、特公平１１−２４４１７７号公報（以下、従来技術２という。）が提案されてなり、高齢者が浴槽内に腰を沈めたときの不安定感をなくするために、浴槽の底部に固定して使用でき、安心してお湯につかることができるようにしたものである。
【０００５】
しかしながら、前述する従来技術１にあっては、浴室内の椅子座面の高さの変更をなしうるものの、浴槽に沈潜させるのに椅子の上部構造が空洞部を有することから浮力が作用し、これに杭して沈潜させることが難しく、また、脚部と座部の衝合部に多数の段差の異なる凹凸部を形成させるために、製造コストがかかるという問題を生じる。
【０００６】
また、従来技術２にあっては、浴槽の壁に取り付け部材によって固着する形式であって、体格に合わせた半身浴を行うためには座面の高さの調整が不可能であり、不要時（不使用時）における収納に場所を必要とする。
【０００７】
上述するように、半身浴を行うために浴室で使用する椅子を浴槽内において使用するか、それぞれ目的に合致した椅子を用意するかのいずれかであるが、前者の場合にあっては、身体の洗浄に使用すること、また、常時浴室の床面に接して用いることから、これを浴槽用椅子として使用する場合にあっては、浴湯が汚損することになり、衛生面から好ましくなく、また、浴槽用と浴室用とを別個の物とするには、浴室は知られるように、狭小であり整頓の収納場所も制限を強いられ、かてて加えて椅子自体の汚れに対しても簡単に清掃しえないという問題を有するところである。
【０００８】
【発明が解決しようとする課題】
本発明は前述の諸点に鑑みなされたもので、半身浴を行うに際して浴槽内に沈潜させる椅子として、使用者の体格に応じて座面の高さを自由に調整することを可能にし、かつ不使用時においてその体積を縮小せしめて収納場所をとらない新規な構造を有する入浴用椅子を提供することを目的とするものである。
【０００９】
【課題を解決するための手段】
前述の課題を解決する本発明に係る入浴用椅子の構成は、内外係の異なる複数の円筒短管を相互に伸縮可能に嵌装し、下部円筒短管の上に中部円筒短管を、更に上部円筒短管それぞれの該短管は下端縁や上端縁には、環状溝と該環状溝に嵌合する突部を形成するとともに、最上段に位置する上部円筒短管上面には座面を形成せしめ前記環状溝と突部との嵌合脱着により、椅子の高さを変える事と、椅子の体積を縮小する事と、清潔目的の分解可の構造を可能にした点に存する。
【００１０】
また、請求項２記載の発明にあっては、浴槽内で使用される入浴用椅子であって、内外係の異なる複数の円筒短管を相互に嵌装してなり、前記円筒短管には雄ネジおよび／または雌ネジが刻設され、円筒短管相互が螺合され、前記円筒短管の最上端に位置する円筒短管上面には座面を形成せしたことを特徴とする入浴用椅子。
【００１１】
【実施例】
本発明の実施例を図示の実施例に基づいて入浴用椅子について説明するに、図１ないし図７は本発明に係る入浴用椅子の実施例を示し、内外係の異なる複数の円筒短管を相互に伸縮可能に嵌挿したものであって、すなわち、下部円筒短管１に中部円筒短管２が、さらに、中部円筒短管２に上部円筒短管３が相互に回動及び伸縮可能に嵌挿されている。
【００１２】
図に示すように、下部円筒短管１（以下、単に短管１いいう。）は、上下に貫通する筒状のものであって、その上端縁に環状溝５ｂが形成されてなり、即ち、環状溝５ｂの上側側壁５ａは内方に突出する環状溝上縁として形成され、この環状溝上縁５ａに対抗する下側側壁５は図３のＫ部（図１におけるＫーＫ矢視部分断面）で示すように、円周方向に所定ピッチでもって内向突部５として形成され、換言すれば、円周方向に所定幅の内向突部５と所定幅の切欠外向凹部７とで構成され、さらに、短管１の下縁内方に突出する断面Ｌ字型となる内向突部４が円周方向に所定ピッチで形成され、即ち、前述する環状溝５ｂの下側壁５と同様に円周方向に所定幅の内向突部４と所定幅の切欠外向凹部４ａとで構成される。
【００１３】
中部円筒短管２（以下、単に短管２という。）は、短管１と同様に上下に貫通する筒状のものであって、図１ないし図５に示すようにその上端縁に環状溝８ｂが形成されてなり、即ち、環状溝８ｂの上側側壁８ａは内方に突出する環状溝上縁として形成され、この環状溝上縁８ａに対抗する下側側壁８は、円周方向に所定ピッチでもって内向突部８として形成され、換言すれば、円周方向に所定幅の内向突部８と所定幅の切欠外向凹部８ｃとで構成される、また、短管２の下端縁には内方に突出する断面Ｌ字型となる内向突出６が円周方向に所定ピッチで形成される。
【００１４】
即ち、円周方向に所定幅で内向突部６と所定幅の切欠外向凹部６ａとで構成され、さらに、図３Ｊ部（図１におけるＪ−Ｊ矢視部分断面）で示すように、この下端縁には、前記内向突部６に対して半ピッチ変位させて外方に突出する外向突部６ｂが形成され、この外向突部６ｂは短管２を短管１に嵌挿する場合に、外向突部６ｂの通過を容易になすために、短管１の切欠外向凹部７は、外向突部６ｂの幅よりも大きくなるように構成され、また、外向突部６ｂは短管１における内向突部４の上面に衝合する。
【００１５】
上部円筒短管３（以下、単に短管３という。）は、短管２の環状溝８に嵌挿する外径を有し、上端を入浴時の座面１２と水抜き穴１３を形成してなるもので、短管３の下端縁には短管２の下端縁と同様に外方に突出する所定幅の突部９と切欠内向凹部９ｃを有するもので、この外向突部９は短管３を短管２に嵌挿する場合に、短管２に設けられた切欠外向８ｃの幅よりも小さくなるように構成され、また、外向突部９は短管２における内向突部６の上面に衝合する。
【００１６】
さらに加えて、短管１および、短管２における環状溝５ｂおよび８ｂにおけるそれぞれの下側側壁５および８の一側にストッパ１０、ストッパ１１を固定してなり、このストッパ１０、ストッパ１１は環状溝５ｂおよび８ｂの一つに設ければ、短管１、短管２、および、短管３の相対的な回動を阻止しうるものであるが、図示の実施例に示すように、全ての下側側壁５および８の一側に、かつ、短管の高さ方向全体に設けることにより補強部材としての機能を発揮するとともに短管２、３の伸縮作用時におけるガイド機能をも期待できる。
【００１７】
前述において入浴用椅子を構成するそれぞれの短管１、２、３の構成について説明したが、これを用いて椅子とする組立てについて説明するに、短管１に短管２を、短管２に短管３を挿入し、即ち、短管１の下端縁に形成した切欠外向凹部４ａを短管２の下端縁に形成した外向突部６ｂを通過させ、また、短管２の下端縁の内側に形成した外向切欠凹部６ａを短管３の下端縁に形成した外向突部９を通過させ、この状態で短管２、３を左右いずれかの方向へ回動させると、前記短管２、３における下端縁の内側に形成した外向突部６ｂおよび外向突部９が、短管１及び短管２に形成してあるストッパ１０、１１に当接し、回動が阻止され、図２に示されるように、短管１、２、３が縮小かつ重合した状態に組立てられ、また、入浴用椅子をそれぞれの短管に分解する場合には、前述と逆の操作をなすことにより簡単に分解される。
【００１８】
前述の構成を有する入浴用椅子の使用に際しては、図１に示す状態で用いるので、図２に示す縮小の状態から伸長状態に転換する場合について説明するに、短管１を適当に押さえて、短管３の座面水抜き１３を利用し、短管１を固定しつつ短管３を上方に引っ張ると、短管３の下端に形成した外向突部９が短管２の上端に形成された切欠外向凹部８ｃを通過しその環状溝上縁８ａに嵌挿することとなり、また同様に、短管２の下端外向突部６ｂが短管１の上端に形成された切欠外向凹部７を通過し環状溝上縁５ａに嵌挿することとなり、この状態で短管２および短管３を図１中左方に回動させると、短管２、３のそれぞれの下端に形成された外向突部９、６ｂが短管１および２に形成されたストッパ１０、１１に当たり回動は阻止されることとなり、伸長状態となる。
【００１９】
また、２段の状態に伸長させる場合には、短管２を押さえつつ短管３を伸長させるか、短管１を押さえつつ短管２、３を一体として伸長させることにより簡単に２段の椅子として使用状態とすることができる、また、椅子の縮小操作、ならびに、椅子の清掃のために短管１、２、３を個々に分解する場合いには、前述の伸長操作と逆の操作を行うことによって容易に分解することができる。
【００２０】
この状態で入浴用椅子として使用する場合、使用者の体重は短管３の下端縁に形成した外向突部９を介して短管２の上端内向突部８に伝達され、さらに、短管２に対する荷重は、短管２の下端縁に形成した外向突部６ｂを介して短管１の上端内向突部５に伝達され、短管１の下端縁に設けられた突出縁の内向突部４により支持されることになる。
【００２１】
前述の実施例においては、入浴用椅子として短管を３段に伸縮自在となしたものであるが、２段以上の複数段を採用しうるものであり、また、各短管相互の係止構造についても、短管の中間部分に任意の段数でもって形成することによって椅子の高さ調整が段階的に微調整を可能にする。
【００２２】
次ぎに、本発明にかかる入浴用椅子について第２の実施例を図８、図９に基づいて説明するに、内外係の異なる複数の円筒短管を相互に伸縮可能に嵌挿したものであって、すなわち、下部円筒短管１に中部円筒短管２が、さらに、中部円筒短管２に上部円筒短管３が相互に回動及び伸縮可能に嵌挿する構成は前述の実施例と共通するものであり、短管１および短管２の内側全面に、雌ネジ１４，１５を刻接し、また、短管２および短管３の外周の下縁には前記雌ネジ１４，１５に螺合する雄ネジ部１６，１７を設けたものであり、該雄ネジ部１６，１７は、図示の如く椅子として作用する荷重（使用者の体重）を支持し得る程度の長さを有すればよく、また、前記ネジは適宜のネジ条数（多条ネジ）を採用することによって椅子の高さ調整を迅速に、かつ、簡便になしうるものであって、図示の例では４条（４口）ネジが形成されている。
【００２３】
椅子の高さの調整に際しては、任意の短管１，２，３の何れかを回転させることによってなし得るもので、これにより雄ネジ部１６，１７が螺合する雌ネジ１４，１５内を滑動し、これにより短管相互の相対的な伸縮が行われ、椅子高さの無段階の調整が行える。
【００２４】
なお、図示の例にあっては雄ネジとして部分的な突条のものとして構成したが、短管２，３の外周前面にネジを成形することも可能である。
【００２５】
【発明の効果】
本発明の入浴用椅子にあっては、円筒短管の先端を環状溝に形成し、該環状溝に嵌合する突部を形成する事によって、滑らかな回動に加えて短管上下の伸縮をなし得る結果、使用者の体格に合わせた高さの変更を容易にし、また、体積の縮小を可能とし、室内における収納場所も最小限にとどめることができる。
【００２６】
そして本発明による入浴用椅子は、ゆっくりと胸下半身浴を楽しむ過程の中で、浴槽の水位を変えずに簡単な椅子の操作により高さの変更を改めることの効果や、浴室の整頓には体積縮小可の椅子は、飾り窓枠の中に、水道蛇口金具の上に、或いは、洗剤棚にも置く事ができる便利の良い、使い勝手の良い椅子を提供できる。
【００２７】
また、乳幼児の入浴補助には知られているように、中腰に近い不安定な姿勢に絶えなければならない、下部円筒短管に縮小した１段の高さ、転換した２段の高さ、或いは、伸長した３段の高さの、三種類の適切な高さを、簡単に選ぶことが可能で、自由な姿勢で入浴の補助が行える効果を有するものである。
【図面の簡単な説明】
【図１】本発明に係る入浴用椅子の組立て部分正面図。
【図２】嵌合状態を示す断面図。
【図３】各円筒短管の嵌合関係を示す部分断平面図。
【図４】短管１、２嵌合の拡大断面図。
【図５】嵌合関係の拡大断面図。
【図６】環状溝嵌合の拡大断面図。
【図７】環状溝嵌合の拡大断面図。
【図８】本発明に係る第２の実施例を示す部分正面図。
【図９】多条ネジ嵌合を示す部分断平面図。
【符号の説明】
１　　下部円筒短管
２　　中部円筒短管
３　　上部円筒短管
４　　内向突部
４ａ　切欠外向凹部
５　　内向突部
５ａ　環状溝上縁
５ｂ　環状溝
６　　内向突部
６ａ　切欠外向凹部
６ｂ　外向突部
６ｃ　切欠内向凹部
７　　切欠外向凹部
８　　内向突部
８ａ　環状溝上縁
８ｂ　環状溝
８ｃ　切欠外向凹部
９　　外向突部
９ｃ　切欠内向凹部
１０、１１　ストッパ
１２　短管座面
１３　座面水抜き穴
１４、１５　雌ネジ
１６、１７　雄ネジ部
Ａ、ａ　左回りストッパに当たる面
Ｂ、ｂ　右回りストッパに当たる面
【図１】
2004057691.tif 000003
【図２】
2004057691.tif 000004
【図３】
2004057691.tif 000005
【図４】
2004057691.tif 000006
【図５】
2004057691.tif 000007
【図６】
2004057691.tif 000008
【図７】
2004057691.tif 000009
【図８】
2004057691.tif 000010
【図９】
2004057691.tif 000011
【手続補正書】
【提出日】平成15年3月3日(2003.3.3)
【手続補正１】
【補正対象書類名】明細書
【補正対象項目名】全文
【補正方法】変更
【補正の内容】
【発明の詳細な説明】
【特許請求の範囲】
【請求項１】浴槽内で使用される入浴用椅子であって、外径の異なる複数の円筒短管を相互に伸縮可に嵌装し、前記それぞれの円筒短管は下端縁および／または上端縁に環状溝と、該環状溝を嵌合する突部を形成するとともに、最上端に位置する円筒短管上面には座面を形成せしめ、前記環状溝と突部との嵌合着脱により、高さ調節を可能とした入浴用椅子。
【発明の詳細な説明】
【０００１】
本発明の入浴用椅子は、健康にいい半身浴用に使用し好適な入浴用椅子に関する。
【０００２】
【従来の技術】
浴室の洗い場で使用される椅子類は、木製や樹脂製で多種多様のものが実用されている。一日の疲れを癒し、心身をリフレッシュさせる目的でゆっくりと胸下まで湯に漬かり、ＣＤを聞いたり、顔のマッサージを行う等の半身浴が奨励されており、低温で、長時間入浴するためには入浴中に心臓に負担をかけないように、入浴する者の体格に合った椅子を浴槽内に沈潜させて腰掛けることが必要となる。
【０００３】
入浴する者の体格に合わせて座面の高さを調整しうる入浴用椅子の一例として特開平０７−２８９４６４号広報（以下、従来技術１という）が提案されている。この従来技術１に開示される入浴用椅子は、座面の高さを変更できる構造の浴室用椅子であって、樹脂製の脚部及び座部を備え、この座部と脚部の凹凸部を嵌め合わせて使用する構造とするとともに、その嵌め合わせ部分の凸部の端面が、凹部の規制面に当たることにより椅子の高さを規定し、かつ、その規制面に当たる面の高さが、座部の脚部に対する回転方向の位置の変更によりその高さを調節する構造としている。
【０００４】
さらに、特開平１１−２４４１７７号広報（以下、従来技術２という。）が提案されてなり、高齢者が浴槽内に腰を沈めたときの不安定感をなくするために、浴槽の底部に固定して使用でき、安心してお湯につかることができるようにしたものである。
【０００５】
しかしながら、前述する従来技術１にあっては、浴室内の椅子座面の高さの変更をなしうるものの、浴槽に沈潜させるのに椅子の上部構造が空洞部を有することから浮力が作用し、これに杭して沈潜させることが難しく、また、脚部と座部の衝合部に多数の段差の異なる凹凸部を形成させるために、製造コストがかかるという問題を生じる。
【０００６】
また、従来技術２にあっては、浴槽の壁に取り付け部材によって固着する形式であって、体格に合わせた半身浴を行うための座面の高さの調整が不可能であり、不要時（不使用時）における収納に場所を必要とする。
【０００７】
上述するように、半身浴を行うために浴室で使用する椅子を浴槽内において使用するか、それぞれ目的に合致した椅子を用意するかのいずれかであるが、前者の場合にあっては、身体の洗浄に使用すること、また、常時浴室の床面に接して用いることから、これを浴槽用椅子として使用する場合にあっては、浴湯が汚損することになり、衛生面から好ましくなく、また、浴槽用と浴室用とを別個の物とするには、浴室は知られるように、狭小であり整頓の収納場所も制限を強いられ、かてて加えて椅子自体の汚れに対しても簡単に清掃しえないという問題を有するところである。
【０００８】
【発明が解決しようとする課題】
本発明は前述の諸点に鑑みなされたもので、半身浴を行うに際して浴槽内に沈潜させる椅子として、使用者の体格に応じて座面の高さを自由に調整することを可能にし、かつ不使用時においてその体積を縮小せしめて収納場所をとらない新規な構造を有する入浴用椅子を提供することを目的とするものである。
【０００９】
【課題を解決するための手段】
前述の課題を解決する本発明に係る入浴用椅子の構成は、外径の異なる複数の円筒短管を相互に伸縮可能に嵌装し、下部円筒短管の上に中部円筒短管を、更に上部円筒短管それぞれの該短管は下端縁や上端縁には、環状溝と該環状溝に嵌合する突部を形成するとともに、最上段に位置する上部円筒短管上面には座面を形成せしめ前記環状溝と突部との嵌合脱着により、椅子の高さを変える事と、椅子の体積を縮小する事と、清潔目的の分解可の構造を可能にした点に存する。
【００１０】
【実施例】
本発明の実施例を図示の実施例に基づいて入浴用椅子について説明するに、図１ないし図７は本発明に係る入浴用椅子の実施例を示し、外径の異なる複数の円筒短管を相互に伸縮可能に嵌挿したものであって、すなわち、下部円筒短管１に中部円筒短管２が、さらに、中部円筒短管２に上部円筒短管３が相互に回動及び伸縮可能に嵌挿されている。
【００１１】
図に示すように、下部円筒短管１（以下、単に短管１という。）は、上下に貫通する筒状のものであって、その上端縁に環状溝５ｂが形成されてなり、即ち、環状溝５ｂの上側側壁５ａは内方に突出する環状溝上縁として形成され、この環状溝上縁５ａに対抗する下側側壁５は図３のＫ部（図１におけるＫーＫ矢視部分断面）で示すように、円周方向に所定ピッチでもって内向突部５として形成され、換言すれば、円周方向に所定幅の内向突部５と所定幅の切欠外向凹部７とで構成され、さらに、短管１の下縁内方に突出する断面Ｌ字型となる内向突部４が円周方向に所定ピッチで形成され、即ち、前述する環状溝５ｂの下側壁５と同様に円周方向に所定幅の内向突部４と所定幅の切欠外向凹部４ａとで構成される。
【００１２】
中部円筒短管２（以下、単に短管２という。）は、短管１と同様に上下に貫通する筒状のものであって、図１ないし図５に示すようにその上端縁に環状溝８ｂが形成されてなり、即ち、環状溝８ｂの上側側壁８ａは内方に突出する環状溝上縁として形成され、この環状溝上縁８ａに対抗する下側側壁８は、円周方向に所定ピッチでもって内向突部８として形成され、換言すれば、円周方向に所定幅の内向突部８と所定幅の切欠外向凹部８ｃとで構成される、また、短管２の下端縁には内方に突出する断面Ｌ字型となる内向突出６が円周方向に所定ピッチで形成される。
【００１３】
即ち、円周方向に所定幅で内向突部６と所定幅の切欠外向凹部６ａとで構成され、さらに、図３Ｊ部（図１におけるＪ−Ｊ矢視部分断面）で示すように、この下端縁には、前記内向突部６に対して半ピッチ変位させて外方に突出する外向突部６ｂが形成され、この外向突部６ｂは短管２を短管１に嵌挿する場合に、外向突部６ｂの通過を容易になすために、短管１の切欠外向凹部７は、外向突部６ｂの幅よりも大きくなるように構成され、また、外向突部６ｂは短管１における内向突部４の上面に衝合する。
【００１４】
上部円筒短管３（以下、単に短管３という。）は、短管２の環状溝８に嵌挿する外径を有し、上端を入浴時の座面１２と水抜き穴１３を形成してなるもので、短管３の下端縁には短管２の下端縁と同様に外方に突出する所定幅の突部９と切欠内向凹部９ｃを有するもので、この外向突部９は短管３を短管２に嵌挿する場合に、短管２に設けられた切欠外向８ｃの幅よりも小さくなるように構成され、また、外向突部９は短管２における内向突部６の上面に衝合する。
【００１５】
さらに加えて、短管１および、短管２における環状溝５ｂおよび８ｂにおけるそれぞれの下側側壁５および８の一側にストッパ１０、ストッパ１１を固定してなり、このストッパ１０、ストッパ１１は環状溝５ｂおよび８ｂの一つに設ければ、短管１、短管２、および、短管３の相対的な回動を阻止しうるものであるが、図示の実施例に示すように、全ての下側側壁５および８の一側に、かつ、短管の高さ方向全体に設けることにより補強部材としての機能を発揮するとともに短管２、３の伸縮作用時におけるガイド機能をも期待できる。
【００１６】
前述において入浴用椅子を構成するそれぞれの短管１、２、３の構成について説明したが、これを用いて椅子とする組立て手順について説明するに、短管１に短管２を、短管２に短管３を挿入し、即ち、短管１の下端縁に形成した切欠外向凹部４ａを短管２の下端縁に形成した外向突部６ｂを通過させ、また、短管２の下端縁の内側に形成した外向切欠凹部６ａを短管３の下端縁に形成した外向突部９を通過させ、この状態で短管２、３を左右いずれかの方向へ回動させると、前記短管２、３における下端縁の内側に形成した外向突部６ｂおよび外向突部９が、短管１及び短管２に形成してあるストッパ１０、１１に当接し、回動が阻止され、図２に示されるように、短管１、２、３が縮小かつ重合した状態に組立てられ、また、入浴用椅子をそれぞれの短管に分解する場合には、前述と逆の操作をなすことにより簡単に分解される。
【００１７】
前述の構成を有する入浴用椅子の使用に際しては、図１に示す状態で用いるので、図２に示す縮小の状態から伸長状態に転換する場合について説明するに、短管１を適当に押さえて、短管３の座面水抜き１３を利用し、短管１を固定しつつ短管３を上方に引っ張ると、短管３の下端に形成した外向突部９が短管２の上端に形成された切欠外向凹部８ｃを通過しその環状溝上縁８ａに嵌挿することとなり、また同様に、短管２の下端外向突部６ｂが短管１の上端に形成された切欠外向凹部７を通過し環状溝上縁５ａに嵌挿することとなり、この状態で短管２および短管３を図１中左方に回動させると、短管２、３のそれぞれの下端に形成された外向突部９、６ｂが短管１および２に形成されたストッパ１０、１１に当たり回動は阻止されることとなり、伸長状態となる。
【００１８】
また、２段の状態に伸長させる場合には、短管２を押さえつつ短管３を伸長させるか、短管１を押さえつつ短管２、３を一体として伸長させることにより簡単に２段の椅子として使用状態とすることができる、また、椅子の縮小操作、ならびに、椅子の清掃のために短管１、２、３を個々に分解する場合いには、前述の伸長操作と逆の操作を行うことによって容易に分解することができる。
【００１９】
この状態で入浴用椅子として使用する場合、使用者の体重は短管３の下端縁に形成した外向突部９を介して短管２の上端内向突部８に伝達され、さらに、短管２に対する荷重は、短管２の下端縁に形成した外向突部６ｂを介して短管１の上端内向突部５に伝達され、短管１の下端縁に設けられた突出縁の内向突部４により支持されることになる。
【００２０】
前述の実施例においては、入浴用椅子として短管を３段に伸縮自在となしたものであるが、２段以上の複数段を採用しうるものであり、また、各短管の係止構造についても、短管の中間部分に形成することによって椅子の高さ調整の微調整を可能にすることができる。
【００２１】
【発明の効果】
本発明の入浴用椅子にあっては、外径の異なる複数の円筒短管を重合嵌挿し、前記それぞれの円筒短管の下端縁および／または上端縁に環状溝と、該環状溝に嵌合する突部を形成する事によって、滑らかな回動に加えて短管上下の伸縮をなし得る結果、使用者の体格に合わせた高さの変更を容易にし、また、体積の縮小を可能とし、室内における収納場所も最小限にとどめることができる。
【００２２】
そして本発明による入浴用椅子は、ゆっくりと胸下半身浴を楽しむ過程の中で、浴槽の水位を変えずに簡単な椅子の操作により高さの変更を改めることの効果や、浴室の整頓には体積縮小可の椅子は、飾り窓枠の中に、水道蛇口金具の上に、或いは、洗剤棚にも置く事ができる便利の良い、使い勝手の良い椅子を提供できる。
【００２３】
また、乳幼児の入浴補助には知られているように、中腰に近い不安定な姿勢に耐えなければならない、下部円筒短管に縮小した１段の高さ、転換した２段の高さ、或いは、伸長した３段の高さの、三種類の適切な高さを、簡単に選ぶことが可能で、自由な姿勢で入浴の補助が行える効果を有するものである。
【図面の簡単な説明】
【図１】本発明に係る入浴用椅子の組立て部分正面図。
【図２】嵌合状態を示す断面図。
【図３】各円筒短管の嵌合関係を示す部分断平面図。
【図４】短管１、２嵌合の拡大断面図。
【図５】嵌合関係の拡大断面図。
【図６】環状溝嵌合の拡大断面図。
【図７】環状溝嵌合の拡大断面図。
【符号の説明】
１　　下部円筒短管
２　　中部円筒短管
３　　上部円筒短管
４　　内向突部
４ａ　切欠外向凹部
５　　内向突部
５ａ　環状溝上縁
５ｂ　環状溝
６　　内向突部
６ａ　切欠外向凹部
６ｂ　外向突部
６ｃ　切欠内向凹部
７　　切欠外向凹部
８　　内向突部
８ａ　環状溝上縁
８ｂ　環状溝
８ｃ　切欠外向凹部
９　　外向突部
９ｃ　切欠内向凹部
１０、１１　ストッパ
１２　短管座
１３　座面水抜き穴
Ａ、ａ　左回りストッパに当たる面
Ｂ、ｂ　右回りストッパに当たる面
【手続補正２】
【補正対象書類名】図面
【補正対象項目名】図８
【補正方法】削除
【補正の内容】
【手続補正３】
【補正対象書類名】図面
【補正対象項目名】図９
【補正方法】削除
【補正の内容】